(57)【特許請求の範囲】
【請求項１】
内容器と、該内容器を加熱する加熱手段と、該加熱手段に電気的に連結され２個の電極板を有するプラグ受けと、該プラグ受けに連結可能なマグネットプラグと、絶縁シートを備えた電気調理器であって、前記絶縁シートは、リード線挿入用切欠と、リード線保持空間を有し、２本のリード線又は／及び２個のリード線端子カバーを利用して前記電極板に対向して取り付けることを特徴とする電気調理器。
【請求項２】
前記絶縁シートは、前記リード線接続後に取り付けることを特徴とする請求項１記載の電気調理器。
【請求項３】
前記絶縁シートは、二つに折り曲げられてなり、その一方の面は前記リード線挿入用切欠及び前記リード線保持空間を有し、他方の面は前記電極板に対向し、前記リード線保持空間の短辺側の長さは前記リード線の径より若干大きく、長辺側の長さは前記２個の電極板に連結されるリード線の間隔と同じであることを特徴とする請求項１または２記載の電気調理器。
【請求項４】
前記２本のリード線は、前記リード線保持空間に挿入後、お互い遠ざかる方向に折り曲げられ、その折り曲げ部で前記絶縁シートを狭持することを特徴とする請求項１ないし３のいずれか１項に記載の電気調理器。
【発明の詳細な説明】
【技術分野】
【０００１】
本願発明は、加熱手段を有し、電気で調理される電気ポット、炊飯器、ホットプレート等の電気調理器のプラグ受け絶縁構造に関するものである。
【背景技術】
【０００２】
電気調理器は、機能等を落とすことなく安価なものが求められ、更に置き場所並びに持ち運び等を考慮し、その全体を軽量化並びに小型化される傾向にある。ところで、電気調理器は、加熱手段を有し、本体ケースに取り付けられるプラグ受けを介して電気を供給されており、電気調理器を小型化した場合、プラグ受けに設けられる電極板と内容器や内部部品との距離が必然的に短くなる。このような場合には、漏電等の危険並びに法的規制を踏まえ絶縁手段等を講じる必要が生じる。
【０００３】
そして、実際、内容器や内部部品とプラグ受けとの間に絶縁手段を設けるものが既に出願されている。その一例の要部のみを図９に示す。即ち、電気調理器の本体ケース１の下端部には門形開口２が設けられ、該門形開口２には、下方から正面視方形のプラグ受け３が嵌合される。その後、底部材４がビスにより取り付けられることによりプラグ受け３は固定される。
【０００４】
前記プラグ受け３は、その外側に電極ピン５が水平に取り付けられ、該電極ピン５には図示しない公知のマグネットプラグが取り付けられることにより加熱手段に電気が供給される。プラグ受け３の内側には、リード線６に接続されるリード線接続端子７が上下方向に連結されている。このようにリード線６及びリード線接続端子７を上下方向に配置することにより、電気調理器の水平方向の大きさが小さくなり電気調理器を小型化することができる。しかしながらその反面、電気調理器の図示しない内容器や内部部品との距離が短くなる。
【０００５】
そのため、図に示すようにプラグ受け３の内側、即ちプラグ受け３と図示しない内容器や内部部品との間に絶縁プレート８を設けている。この絶縁プレート８は、方形のマイカ製プレートであり、その下部をプラグ受け３の裏面に設ける嵌合穴９に挿入し、その上部を同じくプラグ受け３の裏面に設ける係止爪１０に係止することにより取り付けている（例えば、特許文献１参照）。
【０００６】
しかしながら、従来のマイカ製プレート８は、プラグ受け３の嵌合穴９及び係止爪１０に取り付ける必要があるためある程度の厚みを有する必要があり、それだけ材料費が嵩み、また、プラグ受け３に嵌合穴９及び係止爪１０を設ける必要がありそれだけ生産コストも高騰するとという問題を有していた。
【特許文献１】特開２００５−１３０９３３
【発明の開示】
【発明が解決しようとする課題】
【０００７】
本願発明は、絶縁シートを用いるとともに、その絶縁シートの取り付けを容易にすることにより、上記問題点を解消することができる電気調理器を提供することを目的とするものである。
【課題を解決するための手段】
【０００８】
上記目的を達成するため、本願発明は以下の構成を採用する。
【０００９】
請求項１に係る発明では、内容器と、該内容器を加熱する加熱手段と、該加熱手段に電気的に連結され２個の電極板を有するプラグ受けと、該プラグ受けに連結可能なマグネットプラグと、絶縁シートを備えた電気調理器であって、前記絶縁シートは、リード線挿入用切欠と、リード線保持空間を有し、２本のリード線又は／及び２個のリード線端子カバーを利用して前記電極板に対向して取り付ける構成。そしてこの構成により、絶縁シートの取付けが簡単且つ容易になる。
【００１０】
請求項２に係る発明では、請求項１の構成に加え、前記絶縁シートは、前記リード線接続後に取り付ける構成。そしてこの構成により、リード線並びに絶縁シートの取付けが容易になる。
【００１１】
請求項３に係る発明では、請求項１または２の構成に加え、前記絶縁シートは、二つに折り曲げられてなり、その一方の面は前記リード線挿入用切欠及び前記リード線保持空間を有し、他方の面は前記電極板に対向し、前記リード線保持空間の短辺側の長さは前記リード線の径より若干大きく、長辺側の長さは前記２個の電極板に連結されるリード線の間隔と同じである構成。そしてこの構成により、絶縁シートがよりコンパクトになる。
【００１２】
請求項４に係る発明では、請求項３の構成に加え、前記２本のリード線は、前記リード線保持空間に挿入後、お互い遠ざかる方向に折り曲げられ、その折り曲げ部で前記絶縁シートを狭持する構成。そしてこの構成により、絶縁シートの取付けがより確実になる。
【発明の効果】
【００１３】
請求項１に係る発明では、絶縁シートを、リード線挿入用切欠からリード線保持空間内に導入し、２本のリード線又は／及び２個のリード線端子カバーを利用して取り付けるとともに、電極板に対向して配置することにより、薄い絶縁シートの使用が可能となり、それだけ材料費を低減できる。また、絶縁シートを取り付ける係止爪等の手段を別途設ける必要がなく、更に絶縁シートの取付けを簡単且つ容易に行なうことができるためそれだけ生産コストを低減することができる。
【００１４】
請求項２に係る発明では、絶縁シートをリード線接続後に取り付けることにより、請求項１に係る発明の効果に加え、リード線の取付けを容易に行なうことができるとともに、絶縁シートの取付けも容易且つ確実に行なうことができる。
【００１５】
請求項３に係る発明では、絶縁シートのリード線挿入用切欠及びリード線保持空間を、二つ折りの一方の面に設け、絶縁シートの他方の面を、電極板に対向させるとともに、リード線保持空間の短辺側の長さをリード線の径より若干大きくし、長辺側の長さを２個の電極板に連結されるリード線の間隔と同じにすることにより、請求項１または２に係る発明の効果に加え、絶縁シートの大きさをコンパクトにすることができるため、それだけコストを低減することができる。
【００１６】
請求項４に係る発明では、２本のリード線をリード線保持空間に挿入した後に、お互い遠ざかる方向に折り曲げ、その折り曲げ部で絶縁シートを狭持することにより、請求項３に係る発明の効果に加え、絶縁シートの取付けを簡単にすることができるとともに、より確実に取り付けることができる。
【実施例】
【００１７】
以下、本願発明の実施例について説明する。本願発明は、電気で調理される電気ポット、炊飯器、ホットプレート等の電気調理器のプラグ受け絶縁構造に関するものであるところ、以下においては電気ポットを例にして説明する。図１はプラグ受けを有する電気ポットの断面図、図２は図１のＡ部拡大図、図３はプラグ受けの背面図であって絶縁シートの一部を省略した図を示す。なお、鼻先部２９側を前方部、ヒンジ機構２５側を後方部とする。
【００１８】
電気ポット２０は、本体ケース２１と、本体ケース２１の上方開口を開閉する蓋体２２と、底部を形成する底板２３と、前記本体ケース２１内に収納され、お湯等を入れるための内容器２４等からなる。
【００１９】
前記本体ケース２１と底板２３とは無理嵌め或いはビス等により一体化され外郭を形成するとともに、その上方開口部には前記蓋体２２がその上面に設けられる開閉レバー２６の操作によりヒンジ機構２５を支点に開閉自在に取り付けられる。また、該蓋体２２には、手動ポンプ２７が設けられ、手動ポンプ２７を上下動することにより内容器２４内のお湯等を給湯することができる。
【００２０】
蓋体２２には、蒸気通路２８及び蒸気排出口２８ａが形成され内容器２４内の蒸気を外部に放出する。また、蒸気通路２８の内容器２４近傍には、止水弁２８ｂが設けられ、電気ポット２０が転倒等した時、蒸気通路２８を閉鎖し内容器２４内のお湯等が蒸気排出口２８ａから排出されるのを防止している。
【００２１】
前記蓋体２２前方に突出形成される鼻先部２９の上端には、表示器及び各種スイッチが配置される表示部３０を有し、鼻先部２９の下端面には下方に開口した注湯口３１が設けられる。
【００２２】
前記本体ケース２１内には、水等を入れ加熱するための内容器２４が収納される。該内容器２４は、内外二重の真空容器であり保温効果を高めている。該内容器２４の底面には湯温センサ３２及び加熱手段であるマイカヒータ等のヒータ３３が設けられ、湯温センサ３２で内容器２４内の湯等の温度を検知し、ヒータ３３での加熱量を制御している。そして前記ヒータ３３は、後記のプラグ受け４０にリード線５５を介して連結される。
【００２３】
内容器２４と底板２３との間の空間には内容器２４内に連通する電動ポンプ３４が設けられる。また、前記本体ケース２１の前方側には、上下方向に給湯パイプ３５が立設され、その一方端は前記電動ポンプ３４に連結され、その他方端は前記注湯口３１に連通する。そして、前記表示部３０に設けられる図示しない給湯スイッチを操作することにより電動ポンプ３４が駆動し、内容器２４内のお湯等を給湯パイプ３５に押し出し、前記注湯口３１より給湯する。給湯パイプ３５の前方側の本体ケース２１には図示しない透明な窓が設けられ内容器２４内のお湯等の残量を表示している。
【００２４】
符号４０はプラグ受けである。該プラグ受け４０は、正面視横長の矩形状の樹脂製部材であり、その正面部Ｆには、図示しない公知のマグネットプラグが挿入されるプラグ差込凹部４１を有し、図５に示すようにその側面部Ｓには、上下方向の凹溝４２が上端から下端近傍まで形成され、その背面部Ｂには、電極板を取り付けるための嵌合溝４３が上下方向に２個形成される。
【００２５】
正面部Ｆのプラグ差込凹部４１の底面中央部には、図６でその断面を示すように縦長で矩形状の磁石吸着板４４が取り付けられ、更に磁石吸着板４４の左右側には正面部Ｆから背面部Ｂに貫通して取り付けられる２本の電極ピン４５、４５を有しており、プラグ差込凹部４１に図示しない公知のマグネットプラグを挿入するとマグネットプラグ先端に設けられる２個の雌形電極がプラグ差込凹部４１の底面から突出する前記２本の雄形電極ピン４５、４５に嵌合し電気的接続が行われるとともに、マグネットプラグ先端に設けられる磁石がプラグ差込凹部４１の底面に設けられる磁石吸着板４４に吸着し、プラグ受け４０とマグネットプラグとの接続を保持する。
【００２６】
本体ケース２１の下端部には、プラグ受け４０を受け入れるためのプラグ受け４０とほぼ同形で且つ門形の開口４６が形成され、該開口４６の両側部には、図６に示すように上下方向に延設した係止突部４７、４７が設けられている。前記プラグ受け４０は、該開口４６に下方より挿入されるが、挿入時には、開口４６の係止突部４７、４７に、プラグ受け４０の両側面部Ｓに設けられる凹溝４２、４２を嵌合することにより行われ、開口４６内にプラグ受け４０を挿入後、底板２３を取り付け、プラグ受け４０を固定する。
【００２７】
プラグ受け４０の背面部Ｂの上下方向に形成される２個の嵌合溝４３には、電極板４８が取り付けられる。該電極板４８は、細長い矩形状の導電性金属部材であり、その根本部には電極ピン４５の他端が貫通可能にされている。電極板４８の取り付けは、２個の嵌合溝４３にそれぞれ電極板４８を挿入し、その根本部に電極ピン４５の他端を貫通し、その貫通した他端部をかしめ、図５に示すように電極ピンかしめ部４９を形成することにより行われる。電極板４８の先端部の幅は、図４に示すように若干狭くされており電極端子５０を形成している。
【００２８】
符号５５は、リード線である。リード線５５は、外部から取り入れられる電気をヒータ３３等に供給する線部材であり、その先端には、リード線端子５６が取り付けられる。このリード線端子５６は、ファストン端子と呼ばれる導電性金属部材からなるもので、図３及び図４に示すようにその根本部に小折曲部５７を有し、その先端に大折曲部５８を有する。
【００２９】
前記小折曲部５７は、リード線５５を取り付ける部分で、リード線５５の両側からリード線５５を包むように折り曲げ、最終的にリード線５５を強く狭持することによりリード線５５と通電可能に一体化される。
【００３０】
前記大折曲部５８は、電極板４８先端部の電極端子５０との嵌合がなされる部分で、リード線５５の左右方向に展開した矩形状部５８ａを有し、この左右に展開した矩形状部５８ａを内側方向に折り曲げるとともに、それぞれの断面折り曲げ形状を略半円形にし、最終的な断面折り曲げ形状をめがね形状５８ｂにしてなるもので、電極端子５０の嵌入を可能とし、嵌入後では両者の係合を強固にする。このようなリード線端子５６を用いることにより電極端子５０との取り付けが容易になる。
【００３１】
符号５９は、リード線端子カバーである。リード線端子カバー５９は、リード線端子５６を覆う絶縁性樹脂製部材であり、断面矩形の細長い形状からなりリード線端子５６を覆いその絶縁を行う。該リード線端子カバー５９の先端及び内部には、複数の係止片５９ａが設けられており、リード線端子カバー５９内にリード線端子５６を挿入すると、リード線端子カバー５９の端部とリード線端子５６との端部とがほぼ同一面に位置するとともに、該係止片５９ａがリード線端子５６に係合し、容易に外れなくなる。
【００３２】
リード線端子カバー５９内に予めリード線端子５６を挿入したものを用意しておき、そのリード線端子５６付きのリード線端子カバー５９を電極端子５０に接続することになる。その接続は、図５に示すようにそれぞれの電極端子５０にリード線端子５６付きのリード線端子カバー５９を押し込むことによって行われる。リード線端子カバー５９を電極端子５０に接続後は、電極板４８、電極端子５０、リード線端子カバー５９及びリード線５５は、上下方向に一列に並ぶ形態になるため、水平方向での本体ケース２１をより小型化することができる。
【００３３】
符号６０は、絶縁シートである。絶縁シート６０は、電極板４８から内容器２４及び内部部品を絶縁するための例えばポリエステル製フィルムからなる絶縁部材である。その展開図を図８に示すように全体は略矩形状で、その一端部近傍には、短辺に平行に折れ曲げ部６３が設けられ、狭い係止領域６１と広いプラグ受け包囲領域６２とが形成される。
【００３４】
絶縁シート６０は、使用時には、折れ曲げ部６３を中心にして図２に示すように略直角に折り曲げて使用される。係止領域６１は、リード線端子カバー５９の下端部にリード線とで狭持される形態で位置し、プラグ受け包囲領域６２は、プラグ受け背面部Ｂを覆うように対向する形態で位置する。そして、プラグ受け包囲領域６２の幅及び高さは、プラグ受け４０の背面部Ｂの幅及び高さとほぼ同じか若干小さくされ、係止領域６１の長さは、プラグ受け４０の側面部Ｓの長さよりは短くされている。
【００３５】
係止領域６１には、その略中央の領域に折れ曲げ部６３に平行に細長い略矩形状のリード線保持空間６４が形成される。このリード線保持空間６４の短辺側の長さは、リード線５５の径より若干大きく、長辺側の長さＨは、図３に示すようにプラグ受け４０に取り付けられる２個の電極板４８に連結されるリード線５５間の長さＨと略同じにされる。
【００３６】
また、係止領域６１には、リード線保持空間６４の略中央に連通するリード線挿入用切欠６５がリード線保持空間６４の長辺に直交する方向で設けられており、リード線５５は、このリード線挿入用切欠６５よりリード線保持空間６４内に挿入される。リード線挿入用切欠６５は、２本のリード線５５間のほぼ中央に位置することになるためリード線５５の挿入を容易に行うことができる。また、係止領域６１は、単にプラグ受け４０の底部を覆う程度の長さでありその大きさを必要最小限にすることができるため、生産コストを抑えることができる。
【００３７】
その挿入手順を図７（Ａ）〜（Ｄ）に示す。（Ａ）においてまずリード線挿入用切欠６５近傍に挿入するリード線５５の部分を矢印で示すように近づけ、次いで（Ｂ）に示すようにリード線５５をリード線挿入用切欠６５内に矢印方向に押し込み、（Ｃ）に示すようにリード線５５をリード線保持空間６４内に挿入する。その後、（Ｄ）に示すようにお互いのリード線５５が遠ざかるように左右方向に折り曲げ、リード線５５と、リード線端子５６或いはリード線端子カバー５９との間で絶縁シート６０の係止領域６１を狭持する。この絶縁シート６０は、リード線５５の接続後に取り付けられる。
【００３８】
絶縁シート６０の狭持状態を図３及び図４に示す。図３及び図４は絶縁シート６０を取り付け、且つその一部を除いた状態をプラグ受け４０の背面部Ｂ方向から見た図である。図３は、リード線端子５６にリード線端子カバー５９を取り付けた状態のもの（なお、絶縁シート６０を除いた部分のリード線端子カバー５９はその前面がない状態で示している。）であり、図に示すようにプラグ受け背面部Ｂの嵌合溝４３には２個の電極板４８が上下方向に配置され、その先端の電極端子５０には、リード線端子５６付きリード線端子カバー５９が嵌合されている。そして、該背面部Ｂ及びリード線端子カバー５９を覆って絶縁シート６０のプラグ受け包囲領域６２が位置し、絶縁シート６０の係止領域６１は、リード線端子カバー５９の下端部に折り曲げられた状態で位置している。
【００３９】
リード線端子カバー５９の下端部より下方に飛び出ているリード線５５は、係止領域６１のリード線保持空間６４内に挿入されており、その状態で左右方向、即ち、お互い遠ざかる方向に略直角に折り曲げられ、折り曲げられたリード線５５の部分とリード線端子カバー５９の下端部とで絶縁シート６０の係止領域６１を狭持する。リード線保持空間６４の長手方向の長さＨは、電極板４８に連結されるリード線５５間の長さＨと略同じにされているため、リード線５５を折り曲げた場合に絶縁シート６０に遊びがなくなりその取り付けが強固になる。その結果、絶縁シート６０のプラグ受け包囲領域６２は、プラグ受け４０の背面部Ｂに沿う形状で位置固定される。
【００４０】
プラグ受け４０は、この状態で本体ケース２１に取り付けられる。プラグ受け４０が本体ケース２１に取り付けられると、絶縁シート６０のプラグ受け包囲領域６２は、プラグ受け４０の背面部Ｂと内容器２４との間に立設状態で保持される。なお、本体ケース２１と内容器２４との間に筒状の断熱材が入れられるものでは、絶縁シート６０のプラグ受け包囲領域６２は、プラグ受け４０の背面部Ｂと該断熱材との間でより安定した状態で保持される。
【００４１】
図４は、リード線端子５６にリード線端子カバー５９を取り付けないものであり、図に示すようにプラグ受け背面部Ｂの嵌合溝４３には２個の電極板４８が上下方向に配置され、その先端の電極端子５０には、リード線５５先端のリード線端子５６が嵌合されている。そして、該背面部Ｂ及びリード線端子５６を覆って絶縁シート６０のプラグ受け包囲領域６２が位置し、絶縁シート６０の係止領域６１は、リード線端子５６の下端部に折り曲げられた状態で位置している。
【００４２】
リード線端子５６からのリード線５５は、係止領域６１のリード線保持空間６４内に挿入されており、その状態で左右方向、即ち、お互い遠ざかる方向に略直角に折り曲げられ、折り曲げられたリード線５５の部分とリード線端子５６の下端部とで絶縁シート６０の係止領域６１を狭持する。リード線保持空間６４の長手方向の長さＨは、電極板４８に連結されるリード線５５間の長さＨと略同じにされているため、リード線５５を折り曲げた場合に絶縁シート６０に遊びがなくなりその取り付けが強固になる。
【００４３】
プラグ受け４０は、この状態で本体ケース２１に取り付けられる。図３のものと同様に、プラグ受け４０が本体ケース２１に取り付けられると、絶縁シート６０のプラグ受け包囲領域６２は、プラグ受け４０の背面部Ｂと内容器２４との間に立設状態で保持される。なお、本体ケース２１と内容器２４との間に筒状の断熱材が入れられるものでは、絶縁シート６０のプラグ受け包囲領域６２は、プラグ受け４０の背面部Ｂと該断熱材との間でより安定した状態で保持される。
【００４４】
本願発明は、上記各実施の態様の構成に限定されるものではなく、発明の要旨を逸脱しない範囲において適宜設計変更可能であることは勿論である。
【図面の簡単な説明】
【００４５】
【図１】本願発明の電気ポットの断面図
【図２】本図１のＡ部の拡大図
【図３】本願発明のプラグ受けの背面図であって絶縁シートの一部を省略した図
【図４】本願発明のプラグ受けの背面図であって絶縁シートの一部を省略した他の図
【図５】本願発明のプラグ受けとリード線端子カバーを被せたリード線とを示す斜視図
【図６】図２のＢ−Ｂ線断面図
【図７】本願発明の絶縁シートにリード線を取り付ける手順を示す概略図
【図８】本願発明の絶縁シートの展開図
【図９】従来のプラグ受けの断面図
【符号の説明】
【００４６】
２０・・・電気ポット            ２１・・・本体ケース
２２・・・蓋体                  ２３・・・底板
２４・・・内容器                ２５・・・ヒンジ機構
２６・・・開閉レバー            ２７・・・手動ポンプ
２８・・・蒸気通路              ２８ａ・・・蒸気排出口
２８ｂ・・・止水弁              ２９・・・鼻先部
３０・・・表示部                ３１・・・注湯口
３２・・・湯温センサ            ３３・・・ヒータ
３４・・・電動ポンプ            ３５・・・給湯パイプ
４０・・・プラグ受け            Ｆ・・・正面部
Ｓ・・・側面部                  Ｂ・・・背面部
４１・・・プラグ差込凹部        ４２・・・凹溝
４３・・・嵌合溝                ４４・・・磁石吸着板
４５・・・電極ピン              ４６・・・開口
４７・・・係止突部              ４８・・・電極板
４９・・・電極ピンかしめ部      ５０・・・電極端子
５５・・・リード線              ５６・・・リード線端子
５７・・・小折曲部              ５８・・・大折曲部
５８ａ・・・矩形状部            ５８ｂ・・・めがね状端部
５９・・・リード線端子カバー    ５９ａ・・・係止片
６０・・・絶縁シート            ６１・・・係止領域
６２・・・プラグ受け包囲領域    ６３・・・折れ曲げ部
６４・・・リード線保持空間      ６５・・・リード線挿入用切欠
【図１】
0004775130.tif 000002
【図２】
0004775130.tif 000003
【図３】
0004775130.tif 000004
【図４】
0004775130.tif 000005
【図５】
0004775130.tif 000006
【図６】
0004775130.tif 000007
【図７】
0004775130.tif 000008
【図８】
0004775130.tif 000009
【図９】
0004775130.tif 000010